(57)【要約】【課題】洗浄水の水勢の低下を抑制し、汚物の排出性能を有効に発揮することができる水洗式便器を提供する。【解決手段】水洗式便器１は、第１水流Ｆ１及び第２水流Ｆ２の少なくとも２つの水流をなした洗浄水が流通する鉢面部１１、及び鉢面部１１の下方に設けられて洗浄水を貯留する溜水部１２を有する便鉢１０と、溜水部１２から連なる形態で便鉢１０の下方に設けられた排水トラップ２０と、を備えており、溜水部１２は、排水トラップ２０への流出口２０Ａが形成された前壁面１２Ａ（壁面）と、前壁面１２Ａから離間するにつれて近接する右壁面１２Ｂ及び左壁面１２Ｃ（一対の側壁面）と、を有して凹状に形成されている。そして、第１水流Ｆ１は、溜水部１２の前壁面１２Ａと左壁面１２Ｃとの角部１２Ｄに前壁面１２Ａ側から流入し、第２水流Ｆ２は、角部１２Ｄに左壁面１２Ｃ側から流入する。【選択図】図６
2019173429.tif 000002
【特許請求の範囲】
【請求項１】
第１水流及び第２水流の少なくとも２つの水流をなした洗浄水が流通する鉢面部、及び前記鉢面部の下方に設けられて洗浄水を貯留する溜水部を有する便鉢と、
前記溜水部から連なる形態で前記便鉢の下方に設けられた排水トラップと、
を備えており、
前記溜水部は、
左右方向に延びる形態で形成されるとともに、前記排水トラップへの流出口が形成された壁面と、
前記壁面の左右両端部から前後方向に延びる形態で形成されるとともに、前記壁面から離間するにつれて近接する一対の側壁面と、
を有して凹状に形成されており、
前記第１水流は、前記溜水部の前記壁面と前記一対の側壁面の一方との角部に前記壁面側から流入し、
前記第２水流は、前記溜水部の前記角部に前記側壁面側から流入することを特徴とする水洗式便器。
【請求項２】
前記排水トラップは前記流出口から前方に延伸して上昇する上昇流路を形成していることを特徴とする請求項１記載の水洗式便器。
【請求項３】
前記便鉢は、前記鉢面部の上端縁に沿って設けられた環状のリム部を有しており、
前記リム部は、洗浄水を流通する閉じた導水路と、前記導水路に沿って並んで形成されるとともに下方に開口して前記鉢面部に洗浄水を吐出する複数の吐水孔と、を形成しており、
前記複数の吐水孔のうち、前記角部に対応する側方の吐水孔及び前方の吐水孔は、他の前記複数の吐水孔よりも大きく形成されていることを特徴とする請求項１又は２記載の水洗式便器。
【発明の詳細な説明】
【技術分野】
【０００１】
本発明は、水洗式便器に関する。
【背景技術】
【０００２】
特許文献１は、従来の水洗式便器を開示している。この水洗式便器は、ボウル部と、このボウル部の下端に接続されたトラップ部とを有する。トラップ部は、ボウル部の下端から屈曲するＵ字部を有している。Ｕ字部は、ボウル部の下面に沿って延伸して設けられている。
【先行技術文献】
【特許文献】
【０００３】
【特許文献１】特開２００１−３１７１１２号公報
【発明の概要】
【発明が解決しようとする課題】
【０００４】
特許文献１の水洗式便器では、洗浄水は、ボウル部を流通し、ボウル部の下端のＵ字部を通過してトラップ部に排出される。この場合、Ｕ字部を通過する際に水勢が弱められてしまい、汚物を十分に排出することができないおそれがあった。このため、洗浄水の流量を増やしたり、ジェット吐水孔を設けたり等の対策が必要であった。
【０００５】
本発明は、上記従来の実情に鑑みてなされたものであって、洗浄水の水勢の低下を抑制し、汚物の排出性能を有効に発揮することができる水洗式便器を提供することを解決すべき課題としている。
【課題を解決するための手段】
【０００６】
本発明の水洗式便器は、
第１水流及び第２水流の少なくとも２つの水流をなした洗浄水が流通する鉢面部、及び前記鉢面部の下方に設けられて洗浄水を貯留する溜水部を有する便鉢と、
前記溜水部から連なる形態で前記便鉢の下方に設けられた排水トラップと、
を備えており、
前記溜水部は、
左右方向に延びる形態で形成されるとともに、前記排水トラップへの流出口が形成された壁面と、
前記壁面の左右両端部から前後方向に延びる形態で形成されるとともに、前記壁面から離間するにつれて近接する一対の側壁面と、
を有して凹状に形成されており、
前記第１水流は、前記溜水部の前記壁面と前記一対の側壁面の一方との角部に前記壁面側から流入し、
前記第２水流は、前記溜水部の前記角部に前記側壁面側から流入することを特徴とする。
【０００７】
この水洗式便器は、鉢面部を流通する第１水流及び第２水流が、溜水部の左右に延びる壁面と一対の側壁面の一方との角部に壁面側及び側壁面側から夫々流れ込む。これら第１水流及び第２水流は、溜水部内で合流し、角部から斜め方向に流れつつ角部とは反対側の側壁面に到達する。そして、この側壁面を伝って角部側の側壁面に到達することで流れ方向を変更し、そのまま流出口に進入する。このように、本発明の水洗式便器は、溜水部に流入した洗浄水の水勢を維持しつつ流出口に向けて好適に流通させることができる。また、第１水流及び第２水流は夫々角部に流入するので、角部における汚物の滞留を抑制することができる。
【０００８】
したがって、本発明の水洗式便器は、洗浄水の水勢の低下を抑制し、汚物の排出性能を有効に発揮することができる。
【図面の簡単な説明】
【０００９】
【図１】実施例１の水洗式便器を示す平面図である。
【図２】実施例１の水洗式便器を示す斜視図である。
【図３】図１のＩＩＩ−ＩＩＩ線断面図である。
【図４】図１のＩＶ−ＩＶ線断面図である。
【図５】実施例１の水洗式便器の作用を説明するための図（その１）である。
【図６】実施例１の水洗式便器の作用を説明するための図（その２）である。
【発明を実施するための形態】
【００１０】
本発明における好ましい実施の形態を説明する。
【００１１】
本発明の水洗式便器において、前記排水トラップは前記流出口から前方に延伸して上昇する上昇流路を形成し得る。この場合、水洗式便器は所謂リバーストラップ式の水洗式便器として構成される。そして、このようなリバーストラップ式の水洗式便器において、洗浄水の水量を増やしたり、溜水部内でリバーストラップに向けて直接洗浄水を吐出する所謂ジェット吐水孔を設けたり等の対策を講じることなく、汚物を好適に排出することができる。
【００１２】
本発明の水洗式便器は、
前記鉢面部の上端縁に沿って設けられた環状のリム部を備えており、
前記リム部は、洗浄水を流通する閉じた導水路と、前記導水路に沿って並んで形成されるとともに下方に開口して前記鉢面部に洗浄水を吐出する複数の吐水孔と、を形成しており、
前記複数の吐水孔のうち、前記角部に対応する側方の吐水孔及び前方の吐水孔は、他の前記複数の吐水孔よりも大きく形成され得る。
この場合、第１水流及び第２水流を確実に形成することができる水洗式便器を実現することができる。
【００１３】
以下、本発明を具体化した実施例１を図１〜図６を参照して説明する。なお、以下の説明において、前後方向に関しては、図１における下側及び図３における右側を前側と定義する。また、左右方向に関しては、図１及び図４における左右を、そのまま左側及び右側と定義する。
＜実施例１＞
【００１４】
図１〜図４に示すように、実施例１の水洗式便器１は、便鉢１０及び排水トラップ２０を備えている。便鉢１０は、鉢面部１１及び溜水部１２を有している。鉢面部１１は、中央後方側に向かって低くなるように傾斜して形成されている。鉢面部１１は洗浄水が流通する。本実施例の場合、便鉢１０はリム部１３を有しており、このリム部１３から鉢面部１１に洗浄水が吐出される。
【００１５】
リム部１３は、鉢面部１１の上端縁に沿って環状に設けられている。リム部１３は所謂ボックスリムであって、洗浄水を流通する給水流路１３Ａを内部に形成している。給水流路１３Ａは、環状のリム部１３に沿って環状の閉じた導水路として形成されている。なお、給水流路１３Ａの底壁となるリム部１３の下面１３Ｂは、図３及び図４に示すように、便鉢１０のやや中心方向を向く形態でテーパ状面をなして形成されている。また、リム部１３の後部には、給水流路１３Ａに洗浄水を供給する給水孔１３Ｃが設けられている。すなわち、給水孔１３Ｃから給水流路１３Ａの後部に供給された洗浄水は、環状をなす給水流路１３Ａの左右流路を通って前方に向かって流通する。
【００１６】
また、リム部１３には複数の吐水孔１４，Ｈ１，Ｈ２，Ｈ３，Ｈ４が下方に開口する形態で形成されている。複数の吐水孔１４，Ｈ１，Ｈ２，Ｈ３，Ｈ４は、給水流路１３Ａに沿って並んで形成されている。本実施例では、鉢面部１１内を流通する洗浄水は、これら複数の吐水孔１４，Ｈ１，Ｈ２，Ｈ３，Ｈ４から吐出される。複数の吐水孔１４，Ｈ１，Ｈ２，Ｈ３，Ｈ４のうち、吐水孔Ｈ１，Ｈ２，Ｈ３，Ｈ４は、吐水孔１４よりも大きく形成されている。
【００１７】
具体的には、吐水孔１４，Ｈ１，Ｈ２，Ｈ３は、リム部１３の下面１３Ｂを貫通する断面略円形状をなして形成されている。これらは、吐水孔Ｈ１、吐水孔Ｈ３、吐水孔Ｈ２、吐水孔１４の順に大きな開口面積を有している。したがって、洗浄水の吐出流量も吐水孔Ｈ１、吐水孔Ｈ３、吐水孔Ｈ２、吐水孔１４の順に大きい。また、吐水孔Ｈ４は、長手方向を給水流路１３Ａの延伸方向に向けて延びる形態の断面略長穴形状をなして形成されている。吐水孔Ｈ４の開口面積は、吐水孔１４，Ｈ１，Ｈ２，Ｈ３，Ｈ４の中で最も大きく、吐出流量も最も大きい。
【００１８】
なお、各吐水孔１４，Ｈ１，Ｈ２，Ｈ３，Ｈ４は、水洗式便器１が水平な設置面上に設置された状態において、リム部１３の下面１３Ｂを略鉛直方向に貫通する形態で形成されている。したがって、各吐水孔１４，Ｈ１，Ｈ２，Ｈ３，Ｈ４の下面１３Ｂにおける開口の形状は、リム部１３の下面１３Ｂがテーパ状をなしていることから、円形状又は長円形状の水平断面形状よりもやや大きな楕円形状又は長楕円形状をなしている。
【００１９】
溜水部１２は鉢面部１１の下方に形成されている。溜水部１２は洗浄水を貯留する。溜水部１２は、前壁面１２Ａ（本発明に係る壁面として例示する）、右壁面１２Ｂ及び左壁面１２Ｃ（本発明に係る一対の側壁面として例示する）を有して凹状に形成されている。前壁面１２Ａは溜水部１２の前側の壁面である。前壁面１２Ａは、左右方向に延びる形態で形成されている。前壁面１２Ａには排水トラップ２０への流出口２０Ａが開口して形成されている。右壁面１２Ｂ及び左壁面１２Ｃは対となる壁面である。右壁面１２Ｂ及び左壁面１２Ｃは、夫々前壁面１２Ａの左右両端部から後方に延びる形態で夫々形成されている。また、右壁面１２Ｂ及び左壁面１２Ｃは、前壁面１２Ａから離間するにつれて互いに近接する形態で形成されている。溜水部１２は、これら前壁面１２Ａ、右壁面１２Ｂ及び左壁面１２Ｃにより、後方に向かうにつれて窄む形態の平面視略三角形状をなしている。
【００２０】
排水トラップ２０は、溜水部１２から連なる形態で、便鉢１０の下方に設けられている。排水トラップ２０は、流出口２０Ａから前方に延伸して上昇する上昇流路２１を形成している。すなわち、本実施例の水洗式便器１はリバーストラップ式の水洗式便器である。上昇流路２１は、鉢面部１１の下面に沿って斜め上方に延伸して形成されている。
【００２１】
また、排水トラップ２０は、上昇流路２１の下流端となる上昇端２１Ａにおいて上昇流路２１に連なる下降流路２２を形成している。下降流路２２は、上昇流路２１の上昇端２１Ａから下方に延伸して形成されている。下降流路２２は設置状態の水洗式便器１において、略鉛直下方に直線状に延びる形態で形成されている。また、下降流路２２の下端には、水洗式便器１の成形時に切り取られることで開口された切り取り部２２Ａが設けられている。すなわち、この切り取り部２２Ａは、上昇流路２１の上昇端２１Ａよりも下方に位置している。
【００２２】
図５及び図６に示すように、鉢面部１１を流通する洗浄水は、第１水流Ｆ１及び第２水流Ｆ２の２つの主な水流をなして流通する。第１水流Ｆ１は、溜水部１２に前方から流入する水流である。換言すると、第１水流Ｆ１は、排水トラップ２０への流出口２０Ａが形成された壁面としての前壁面１２Ａ側から、溜水部１２へ流入する。詳細には、第１水流Ｆ１は、主に便鉢１０の前方右寄りのリム部１３に形成された吐水孔Ｈ１，Ｈ２から吐出された洗浄水により形成され、溜水部１２の前壁面１２Ａと左壁面１２Ｃとの角部１２Ｄに前方から流入する。
なお、本実施例の場合、第１水流Ｆ１は、排水トラップ２０への流出口２０Ａが形成された壁面としての前壁面１２Ａが前方にあり、前方から流入するが、排水トラップへの流出口が形成された壁面が後方にある場合には、第１水流が後方から流入する形態であってもよい。
【００２３】
第２水流Ｆ２は、溜水部１２に左方向から流入する水流である。換言すると、第２水流Ｆ２は、側壁面としての左壁面１２Ｃ側から溜水部１２へ流入する。詳細には、第２水流Ｆ２は、主に便鉢１０の左方後ろ寄りのリム部１３に形成された吐水孔Ｈ３，Ｈ４から吐出された洗浄水により形成され、溜水部１２の角部１２Ｄに左方から流入する。本実施例の場合、第２水流Ｆ２は、側壁面としての左壁面１２Ｃ側、すなわち左方から流入するが、右方から流入する形態であってもよい。
【００２４】
なお、吐水孔Ｈ１，Ｈ２は、それらの間に１つの吐水孔１４を挟んで配されている。このため、実施例１における第１水流Ｆ１の形成には、吐水孔Ｈ１，Ｈ２から吐出される洗浄水に加えて、この吐水孔１４から吐出される洗浄水も寄与している。また、吐水孔Ｈ３，Ｈ４の並び方向の前後には、他の吐水孔１４よりも大きく、吐水孔Ｈ３，Ｈ４よりも小さい吐水孔１４Ａが形成されている。実施例１における第２水流Ｆ２の形成には、これらの吐水孔１４Ａも寄与している。そして、第２水流Ｆ２を形成する吐水孔Ｈ３，Ｈ４のほうが第１水流Ｆ１を形成する吐水孔Ｈ１，Ｈ２よりもリム部１３の後部に近い。このような構成としたことにより、本実施例の場合には、第１水流Ｆ１と第２水流Ｆ２とでは、第２水流Ｆ２のほうが流量が大きくなる形態としている。
【００２５】
次に、実施例１の水洗式便器１の作用について説明する。リム部１３に形成された複数の吐水孔１４，Ｈ１〜Ｈ４から便鉢１０内に吐出された洗浄水は、鉢面部１１を流通して溜水部１２に到達する。この時、吐水孔１４，Ｈ１〜Ｈ４が環状のリム部１３の全周に渡って形成されていることから、洗浄水は鉢面部１１の全体を万遍なく洗浄する。
【００２６】
また、鉢面部１１には、主に吐水孔Ｈ１，Ｈ２から吐出される洗浄水により形成される第１水流Ｆ１と、主に吐水孔Ｈ３，Ｈ４から吐出される洗浄水により形成される第２水流Ｆ２と、の２つの水流をなして洗浄水が流通する。そして、吐水孔Ｈ１〜Ｈ４を他の吐水孔１４と比較して大きく形成したことで、第１水流Ｆ１及び第２水流Ｆ２の２つの水流が好適に形成される。
【００２７】
また、上述のように、鉢面部１１には、第１水流Ｆ１及び第２水流Ｆ２の２つの主な水流が流通する。そして、図５及び図６に示すように、第１水流Ｆ１は、溜水部１２の前方から角部１２Ｄに流入し、第２水流Ｆ２は、溜水部１２の左側方から角部１２Ｄに流入する。これら第１水流Ｆ１及び第２水流Ｆ２が角部１２Ｄに流入することにより、溜水部１２の角部１２Ｄにおける汚物の滞留が防止される。
【００２８】
図５及び図６に示すように、溜水部１２に到達した第１水流Ｆ１及び第２水流Ｆ２は、溜水部１２内で合流して第３水流Ｆ３を形成する。第３水流Ｆ３は、図５及び図６に示すように、角部１２Ｄから斜め後方下方に向かって流通し、右壁面１２Ｂに到達する。そして、第３水流Ｆ３は、溜水部１２の形状に沿って、右壁面１２Ｂを伝って角部１２Ｄ側の左壁面１２Ｃに到達することで流れ方向を前方に変更し、そのまま前壁面１２Ａに形成された排水トラップ２０の流出口２０Ａに進入して上昇流路２１を上昇する。このように、実施例１の水洗式便器１では、溜水部１２に流入する洗浄水は、溜水部１２の壁面に沿って流れ方向を変更することで、水勢を維持しつつ排水トラップ２０に排出される。
【００２９】
以上のように、水洗式便器１は、便鉢１０及び排水トラップ２０を備えている。便鉢１０は、鉢面部１１及び溜水部１２を有している。鉢面部１１は、第１水流Ｆ１及び第２水流Ｆ２の少なくとも２つの水流をなした洗浄水が流通する。溜水部１２は、鉢面部１１の下方に設けられて洗浄水を貯留する。排水トラップ２０は、溜水部１２から連なる形態で便鉢１０の下方に設けられている。溜水部１２は、前壁面１２Ａ、右壁面１２Ｂ、及び左壁面１２Ｃを有して凹状に形成されている。前壁面１２Ａは、左右方向に延びる形態で形成されている。また、前壁面１２Ａには排水トラップ２０への流出口２０Ａが形成されている。右壁面１２Ｂ及び左壁面１２Ｃは、前壁面１２Ａの左右両端部から後方に延びる形態で夫々形成されている。また、右壁面１２Ｂ及び左壁面１２Ｃは、前壁面１２Ａから離間するにつれて互いに近接する形態で形成されている。そして、第１水流Ｆ１は、溜水部１２の前壁面１２Ａと左壁面１２Ｃとの角部１２Ｄに前壁面１２Ａ側から流入する。また、第２水流Ｆ２は、角部１２Ｄに左壁面１２Ｃ側から流入する。
【００３０】
実施例１の水洗式便器１は、鉢面部１１を流通する第１水流Ｆ１及び第２水流Ｆ２が、溜水部１２の角部１２Ｄに、前壁面１２Ａ側及び左壁面１２Ｃ側から夫々流れ込む。これら第１水流Ｆ１及び第２水流Ｆ２は、溜水部１２内で合流し、角部１２Ｄから斜め方向に流れつつ溜水部１２の右壁面１２Ｂに到達する。そして、この右壁面１２Ｂを伝って左壁面１２Ｃに到達することで流れ方向を変更し、そのまま排水トラップ２０の流出口２０Ａに進入する。このように、水洗式便器１は、溜水部１２に流入した洗浄水の水勢を維持しつつ流出口２０Ａに向けて好適に流通させることができる。また、第１水流Ｆ１及び第２水流Ｆ２は夫々角部１２Ｄに流入するので、角部１２Ｄにおける汚物の滞留を抑制することができる。
【００３１】
したがって、水洗式便器１は、洗浄水の水勢の低下を抑制し、汚物の排出性能を有効に発揮することができる。
【００３２】
また、排水トラップ２０は流出口２０Ａから前方に延伸して上昇する上昇流路２１を形成している。このため、水洗式便器１は所謂リバーストラップ式の水洗式便器として構成される。そして、水洗式便器１は、このようなリバーストラップ式便器において、洗浄水の水量を増やしたり、溜水部内でリバーストラップに向けて直接洗浄水を吐出する所謂ジェット吐水孔を設けたり等の対策を講じることなく、汚物を好適に排出することができる。
【００３３】
また、便鉢１０は、鉢面部１１の上端縁に沿って設けられた環状のリム部１３を有しており、リム部１３は、洗浄水を流通する閉じた導水路としての給水流路１３Ａと、この給水流路１３Ａに沿って並んで形成されるとともに下方に開口して鉢面部１１に洗浄水を吐出する複数の吐水孔１４，Ｈ１〜Ｈ４と、を形成している。そして、複数の吐水孔１４，Ｈ１〜Ｈ４のうち、前壁面１２Ａと左壁面１２Ｃとの角部１２Ｄに対応する左側方の吐水孔Ｈ３，Ｈ４及び前方の吐水孔Ｈ１，Ｈ２は、他の吐水孔１４よりも大きく形成されている。このため、第１水流Ｆ１及び第２水流Ｆ２を確実に形成することができる水洗式便器を実現することができる。
【００３４】
また、水洗式便器１は、排水トラップ２０の上昇流路２１の上昇端２１Ａから連なる形態で下方に延伸する下降流路２２を形成し、この下降流路２２の下端には、成形時に切り取られることで開口された切り取り部２２Ａが設けられている。このため、例えば、成形時に上昇流路において開口を形成する場合と比較して、排水トラップ２０の上昇流路や下降流路の道中における汚物等の詰まりや引っかかりが抑制され、スムーズな流れを実現する排水トラップとすることができる。
【００３５】
＜他の実施例＞
本発明は上記記述及び図面によって説明した実施例に限定されるものではなく、例えば次のような実施例も本発明の技術的範囲に含まれる。
（１）上記実施例では、リバーストラップ式の水洗式便器を例示したが、溜水部から後方に延伸するトラップが設けられた形態の水洗式便器であってもよい。この場合、本発明に係る壁面は溜水部の後壁面であり、本発明に係る一対の側壁面は、この後壁面の両端部から前方に延びる形態で夫々設けられる。
（２）上記実施例では、所謂ボックスリムを有する便鉢を備えた水洗式便器を例示したが、これは必須ではない。例えば、所謂オープンリムの内壁に沿って洗浄水が吐出される形態の水洗式便器であってもよい。
（３）上記実施例では、第１水流及び第２水流が流入する角部を溜水部の前部に位置する壁面と左側に位置する側壁面との角部に設定する形態を例示したが、これは必須ではない。例えば、溜水部の前側又は後側に位置する壁面と、左側又は右側の側壁面と、のいずれかの組み合わせにおける２つの壁面の角部であることができる。
（４）上記実施例では、複数の吐水孔の大きさや断面形状が異なる形態を例示したが、略同等の大きさや略同等の断面形状であってもよい。また、吐水孔の間隔や密度が異なる形態や、この形態と吐水孔の大きさや断面形状を異ならせた形態とを組み合わせた形態することで、洗浄水の吐出流量を所望の量に設定するようにしてもよい。
【符号の説明】
【００３６】
１…水洗式便器
１０…便鉢
１１…鉢面部
１２…溜水部
１３…リム部
１２Ａ…前壁面
１２Ｂ…右壁面
１２Ｃ…左壁面
１２Ｄ…角部
１３…リム部
１３Ａ…給水流路
１３Ｂ…リム部の下面
１３Ｃ…給水孔
１４，１４Ａ，Ｈ１，Ｈ２，Ｈ３，Ｈ４…吐水孔
２０…排水トラップ
２０Ａ…流出口
２１…上昇流路
２１Ａ…上昇端
２２…下降流路
２２Ａ…切り取り部
Ｆ１…第１水流
Ｆ２…第２水流
Ｆ３…第３水流
【図１】
2019173429.tif 000003
【図２】
2019173429.tif 000004
【図３】
2019173429.tif 000005
【図４】
2019173429.tif 000006
【図５】
2019173429.tif 000007
【図６】
2019173429.tif 000008